(57)【要約】【課題】  プルトップ付きの小型缶、大型缶、小判型や楕円形の異型缶の缶詰であっても、適切に対応出来る缶切り器を提供する。【解決手段】握り部１の長手方向先端部に、握り部１と交差する方向で外周面を円弧面とした案内体２と、案内体２の一端の外周円弧面より握り部側内方に位置する爪部３を設けた缶切り器であって、爪部を有する案内体２と反対側に缶端部保持部２２を設けた缶切り器であり、また缶端部保持部２２として、案内体２の外周面と直交方向に溝状を有する構成とした缶切り器である。【選択図】図１
2015003759.tif 000002
【特許請求の範囲】
【請求項１】
握り部の長手方向先端部に、握り部と交差する方向で外周面を円弧面とした案内体と、案内体の一端の外周円弧面より握り部側内方に位置する爪部を設けた缶切り器であって、爪部を有する案内体と反対側に缶端部保持部を設けたことを特徴とする缶切り器。
【請求項２】
請求項１記載の缶端部保持部として、案内体の外周面と直交方向に溝状を有する複数の缶端部保持部を設けたことを特徴とする缶切り器。
【請求項３】
案内体の外周面を幅広に形成したことを特徴とする請求項１又は２に記載の缶切り器。
【請求項４】
爪部にプルトップリング係止用の係止突起を設けたことを特徴とする請求項１〜３の何れか記載の缶切り器。
【発明の詳細な説明】
【技術分野】
【０００１】
本発明は、缶切り器に関する。
【背景技術】
【０００２】
従来、近年缶詰は所謂プルトップ付きの缶切りに移行し、缶切りが不要の缶詰が主流となってきている。
このプルトップの付いた缶詰の缶本体４は、例えば図10に示す如く缶蓋４０を缶上面周部に設けている切り込み４３と、切り込み端部にプルトップリング部４１のプルトップ固着部４２を設ける構成となっている。そして、プルトップを蓋に固定する構成、及び缶蓋４０を缶上面周部に設けている切り込み４３の深さは、缶詰の内容物の密閉性の確保から、設定されている。
そして、開缶時には、指をプルトップリング部４１と缶蓋４０との間に入れ、プルトップリング部４１を起こし、次いでプルトップリング部４１を持ち上げて缶蓋４０を缶上面周部に設けている切り込み４３に、リング部の先端部を圧接させ、切り込み４３を下方に押しつけることにより、小開口を形成させ、この小開口を基点として切り込み４３に沿って、開口させる構成である。
従来、例えば、特許文献１に示す技術では、清涼飲料水等の缶オープナーに関するものではあるが、底面先端にプルトップリング挿入口を設け、先端中央にＵ字状の切り込み部を成し、底面後端部を支点とし、それに握り柄を設ける缶オープナーが開示されている。
また、プルトップ付きの缶切りに限定した技術としては、例えば特許文献２に示すような、先端に係止爪を有する係止溝を形成した係止部と、その係止爪から連続した大略円弧状の案内部を有し、この案内部に連続して柄部を全体的に形成した缶開け具が提案されている。
【先行技術文献】
【特許文献】
【０００３】
【特許文献１】特開平１１−３０１７９２
【特許文献２】特開２００１−１８０７９９
【発明の概要】
【発明が解決しようとする課題】
【０００４】
しかしながら、この開缶作業において、指をプルトップリング部４１と蓋体４０との間に入れ難いこと、意外と指先に力を入れる必要がある。また、プルトップリング部４１を引いて開ける際には力が入っているために、その開ける勢いで蓋が全開したときに中の汁や中身をこぼしてしまう場合がある。
前述の如く、特許文献１に記載の技術において、プルトップリングと蓋体との間に缶オープナーの先端中央にＵ字状の切り込み部に入れ、底面後端部を支点とし入れ、プルトップが起こすことが出来る。しかしながら、この技術は、飲料等のプルトップを対象とするもので、この技術をプル付き缶詰の開缶に使用した場合には、プルトップのリング部の切り起こしは行えるが、上蓋の切り込み部の開缶をスムーズに行う作用力としては十分ではない。
【０００５】
次に、特許文献２に記載の技術は、プルトップのリング部の切り起こし、及び上蓋の切り込み部の開缶をスムーズに行う作用力とはある程度課題を解決しているが、缶詰の種類は一般的に図１０に示すような小型缶（直径７５ｍｍ程度）（図１０（ａ））、大型缶（直径８５ｍｍ程度）（図１０（ｂ））、長四角型（長辺１０．５ｍｍ程度）（図１０（ｃ））や楕円形（図１０（ｄ））の異型缶では、必ずしも最後までスムーズに開缶することが出来ない場合があり、開ける勢いで蓋が全開したときに力が余って、中の汁や中身をこぼしてしまう可能性があった。
また、プルトップリング部の形状についても缶詰メーカにより、大きさ形状が異なる。従って、通常の缶切り器を製作するにあたりこの点も留意する必要がある。
本発明は、斯かる実情に鑑み、小型缶、大型缶、小判型や楕円形の異型缶であっても、適切に対応出来る缶切り器を提供しようとするものである。
【課題を解決するための手段】
【０００６】
本発明は、上述の課題を解決するために婦女子、或いは老人であっても簡単に開缶出来る缶切り器を提供するものである。
握り部の長手方向先端部に、握り部と交差する方向で外周面を円弧面とした案内体と、案内体の一端の外周円弧面より握り部側内方に位置する爪部を設けた缶切り器であって、爪部を有する案内体と反対側に缶端部保持部を設けた缶切り器である。
そして、好ましくは缶端部保持部として、案内体の外周面と直交方向に溝状を有する複数の缶端部保持部を設けたこと、また案内体の外周面を幅広に形成したこと、或いは、爪部の案内体と反対側に係止用の係止突起を設けた構成にしても良い。
【０００７】
上記手段によれば、以下のような作用が得られる。
爪部の先端を缶本体の缶蓋とプルトップリング部の間に挿入すると、プルトップリング部が爪部先端により軽く持ち上げられ、次いで、押し込みながら握り部を軽く引くと、爪部の先端が缶蓋とプルトップリング部の間に挿入することが出来る。そしてこの状態で握り部を持ち上げると、爪部は、プルトップリング部内に完全に挿入される。更に握り部を持ち上げると、プルトップリング部は、プルトップ固着部を中心として作動し、プルトップリング部の先端部は切り込みに当接し缶端部を下方に押し込み、缶本体の缶蓋に小開口部の切り込みを形成する。
この状態となった後は、案内体の外周面を缶蓋表面にあて、握り部をプルトップリング部と反対方向に回動させると、缶蓋は、案内体と接している点と爪部によるプルトップリング部への上方への力が作用して、この結果切り込みに沿って開缶させることが出来る。
【０００８】
請求項２記載の発明では、案内体の外周面に周面と直交方向に溝状を有する複数の凹凸状の缶端部保持部を設けていることより、缶本体の端部がこの缶端部保持部の凹部に入り、缶切り器の端部を安定させることが出来る為、開缶作業の末期に、中の汁や中身をこぼしてしまう可能性を防止するように作用する。
また、請求項３に示すように、案内体の外周面を幅広に形成することで、安定した開缶作業をすることが出来る。また、爪部の案内体と反対側に係止用の係止突起を設けることで、特に開缶作業終了時にプルトップリング部が爪部の係止突起に係止されており、勢いよく開缶作業を行っても、開缶を終えた缶蓋が単独で飛んでしまうことを防止するように作用する。
【発明の効果】
【０００９】
本発明の缶切り器によれば、簡易な構成で有るが、少ない力で小型缶から大型缶、小判型や楕円形の異型缶であっても、簡単に開缶作業が行えることより、力のない婦女子、高齢者であっても簡単に開缶作業をすることができるという優れた効果を奏し得る。
【図面の簡単な説明】
【００１０】
【図１】本発明にかかる缶切り器の説明図で（ａ）は正面図、（ｂ）は底面図、（ｃ）はＡ−Ａ線断面図、（ｄ）側面図，（ｅ）Ｂ−Ｂ線断面図。
【図２】本発明にかかる案内体を断面Ｕ字案内部とした実施例の説明図で、（ａ）は正面図、（ｂ）は側面図、（ｃ）はＣ−Ｃ線断面図。
【図３】本発明にかかる缶切り器の爪部に係止突起を設けた説明図。
【図４】本発明にかかる缶切り器の使用状態を示す説明図。
【図５】本発明にかかる缶切り器のプルトップリング部４１を切り起こした状態を示す使用状態を示す説明図。
【図６】本発明にかかる缶切り器の開缶作業を示す説明図。
【図７】本発明にかかる缶切り器の開缶作業末期状態を示す説明図。
【図８】本発明にかかる缶切り器の開缶作業末期状態を示す説明図で、（ａ）は大型の円形缶の説明図、（ｂ）は異型缶の説明図。
【図９】本発明にかかる他の実施形態を示す斜視図。
【図１０】缶詰めの形状を示す平面説明図。
【発明を実施するための形態】
【００１１】
以下、本発明の実施の形態を添付図面を参照して説明する。
本発明は、基本的には握り部と、握り部の長手方向先端部に、握り部と交差する方向に設けた案内体２と、案内体２の外周面の円弧案内部より握り部側内方に位置する爪部３を設ける構成となっている。
以下、これらを詳述する。
【００１２】
＜握り部１＞
握り部１は、後述する案内体２，爪部３と一体的に、例えば        より成型して製作するが、握り部の人の把持する部分を、例えばエラストマーの材質で被覆することが出来る。
握り部の形状は一体的に形成するほか、他の部材で握り部を形成しこの握り部を嵌着等する構成であっても良い。
【００１３】
＜案内体２＞
案内体２は握り部の長手方向先端部に、握り部１と交差する方向に設けている。この案内体２の外形は、案内体先端２０から外形形状としてとして円弧形状に形成する。そして、一方の案内体先端２０側から通常の円弧状に形成した円弧案内部２１から他端に向かって形成すると共に、案内体２の途中から周面と直交方向に溝状を有する複数の凹凸状体を設けることにより缶端部保持部２２を設けている。
また、缶端部保持部２２を設け始める位置は、適宜位置から設けることが出来るが、案内体先端２０から少し間隔を開けて、外周の中程から設ける構成とするが、好ましくは缶詰の開缶時に、プルトップと反対側の缶端４５が、缶端部保持部２２の凹み部に嵌入出来る位置に設けることが必要である。
なお、本実施例では缶端部保持部２２の凹部である溝に缶詰の缶端を嵌合させ、缶端４５に缶切り器を固定するものであることより、凹凸部の代わりに、案内体２の外周面に突起を設ける構成としても良いことは言うまでない。
更に、缶端部保持部２２は図２に示す如く、中央部を凸状部に形成することも出来る。
また、案内体２の幅は、握り部と同様に形成しても良いが、開缶作業時に缶蓋４０に案内体２の案内体先端部２０を安定した状態とするために、図１に示す如く、握り部１より例えば数ｍｍ程度幅広に形成しても良い。
【００１４】
＜爪部３＞
爪部３は、案内体２の外周面の円弧案内部２１の曲線上より握り部側の内方に位置して設けている。爪部３の形状は缶本体４の缶蓋４０のプルトップリング部４１に挿入できるものであれば良く、形状は特に限定するものではない。
また爪部３を缶本体４の缶蓋４０のプルトップリング部４１に挿入したとき、爪部３の案内体２と反対側に、図３に示すように、係止用の係止突起３０を設けることで、缶詰メーカーによってプルトップリング部４１の大きさ長さが異なるが適切な位置で係止突起３０に係止することが出来る。即ち、案内体先端部２０をプルトップ固着部４２に近接した状態で維持することが出来る為、軽い力でも確実に爪部３の力をプルトップリング部４１に伝えることが出来るように作用すると共に、開缶作業時にプルトップリング部４１を爪部３の係止突起３０に係止することで安定した保持状体を維持することが出来、開缶作業終了時においても、安定した開缶作業が行え、開缶を終えた缶蓋が単独で飛んでしまうことも防止することが出来る。
【００１５】
次に図４〜７で開缶作業の状態を示す。
図４に示すように、爪部３の先端を缶本体４の缶蓋４０とプルトップリング部４１の間に挿入すると、プルトップリング部４１が爪部３先端により軽く持ち上げられ、次いで、握り部１を軽く引くと、図４の矢印方向に移動させると爪部３の先端は、缶蓋４０とプルトップリング部４１の間に更に挿入され、次いでこの状態で握り部１を持ち上げると、点線矢印の方向にプルトップ固着部４２を中心としてプルトップリング部４１が持ち上げられ、プルトップリング部４１内に爪部３は完全に挿入される。更に握り部１を持ち上げると、爪部３は、案内体先端部２０を支点として上方に移動し、プルトップリング部４１は、プルトップ固着部４２を中心として作動し、プルトップリング部４１の先端部は切り込み４３に当接し、缶本体４の缶端部を下方に押し込み、缶本体４の缶蓋４０に小開口部４４の切り込みを形成する（図５参照）。
【００１６】
この状態となった後は、案内体２の円弧状案内体２１外周面を缶蓋表面にあて、握り部１をプルトップリング部４１と反対方向に回動させると、缶蓋４０は、案内体２と接している点と爪部３によるプルトップリング部４１への上方への力が作用するし、この結果切り込み４３に沿って開缶させることが出来る（図６参照）。
【００１７】
缶開け作業最終段階では、図７に示すように、プルトップと反対側の缶端４５が、缶端部保持部２２の凹み部に嵌入することが出来る。この状態で握り部１を更に回動させると缶切り器は安定した状態で最後まで缶蓋４０の切り込み４３を最後まで開缶することが出来、開缶作業の末期に、中の汁や中身をこぼしてしまう可能性を防止することが出来る。
少なくとも開缶作業末期状態時に缶詰の缶端４５に、前記した缶端部保持部２２が嵌合させる構成とするもので、大型缶は図８、小判缶や楕円缶のような変形缶は図９に示すように嵌合する位置が異なっても適切な位置で使用することが出来る。
【００１８】
図９は、他の実施形態を示すもので、ステンレス材等の金属材料で製作した例を示している。
握り部１は、線材を曲げ製作し、案内体２，爪部３は、板材を所定の形状に打ち抜いた後に、コ字形状に折曲し加工し、握り部１を案内体２，爪部３に製作することにより安価に製作できる。
案内体２は、図９に示すように、左右に対に形成した案内体先端２０から円弧状に形成した対の円弧案内部２１、及び対の缶端部保持部２２を設けている。
爪部３は案内体２の上面部から案内体先端２０側に上方に折曲する方向に形成している。使用に際しては、前記した缶切り器と同様に握り部１を持って、缶本体４の蓋４０のプルトップリング部４１に挿入して缶開け作業を行う。
【産業上の利用可能性】
【００１９】
本発明の缶切り器は、家庭用に使用する食用缶、或いはペットの食用に供するプルトップ付き缶に利用することができる。
【符号の説明】
【００２０】
１  握り部
２  案内体案内体
２０  案内体先端部
２１  円弧案内部
２２  缶端部保持部
２３  断面Ｕ字案内部
３  爪部
３０  係止突起
４  缶本体
４０  缶蓋
４１  プルトップリング部
４２  プルトップ固着部
４３  切り込み
４４  小開口部
４５  缶端
【図１】
2015003759.tif 000003
【図２】
2015003759.tif 000004
【図３】
2015003759.tif 000005
【図４】
2015003759.tif 000006
【図５】
2015003759.tif 000007
【図６】
2015003759.tif 000008
【図７】
2015003759.tif 000009
【図８】
2015003759.tif 000010
【図９】
2015003759.tif 000011
【図１０】
2015003759.tif 000012